(57)【要約】【課題】吐出口とケアを行う使用者の肌との距離を最適に規定することで、吐出口から吐出されるスチームにより、高い肌ケアの効果を有する美容装置を提供する。【解決手段】ハウジング１と、ハウジング１に設けられてハウジング１内で発生したスチーム２を吐出する吐出口３と、を有し、吐出口３から吐出されたスチーム２を使用者の肌に当てて肌のケアを行う美容装置において、吐出口３とケアを行う肌との距離を規制する規制手段として、ハウジング１に出し入れ自在に設けられた棒状部材４を設けるようにした。【選択図】図１
2008178495.tif 000002
【特許請求の範囲】
【請求項１】
ハウジングと、ハウジングに設けられてハウジング内で発生したスチームを吐出する吐出口と、を有し、吐出口から吐出されたスチームを使用者の肌に当てて肌のケアを行う美容装置において、吐出口とケアを行う肌との距離を規制する規制手段を設けたことを特徴とする美容装置。
【請求項２】
規制手段は、ハウジングに出し入れ自在に設けられた棒状部材であることを特徴とする請求項１記載の美容装置。
【請求項３】
規制手段は、ハウジングに側設または隣接され、使用者の顎部を載置する顎部載置台であることを特徴とする請求項１記載の美容装置。
【請求項４】
規制手段は、ハウジングに設けられて、吐出口から吐出されるスチームに光を照射する光照射部であることを特徴とする請求項１記載の美容装置。
【請求項５】
規制手段は、ハウジングに設けられ、少なくとも赤外線または超音波またはレーザのいずれかをケアを行う肌に照射することにより、吐出口とケアを行う肌との距離を検知する距離検知部であることを特徴とする請求項１記載の美容装置。
【請求項６】
吐出口とケアを行う肌とが所定の距離になった際に、使用者に報知する報知手段を設けたことを特徴とする請求項１から５のいずれか１項に記載の美容装置。
【請求項７】
複数の吐出口を設け、吐出口から所定の距離において、各々の吐出口から吐出されるスチームが合流するようになしたことを特徴とする請求項１から６のいずれか１項に記載の美容装置。
【発明の詳細な説明】
【技術分野】
【０００１】
本願発明は、スチームを吐出して使用者の肌をケアする美容装置に関するものである。
【背景技術】
【０００２】
スチームにより使用者の肌ケアを行う美容装置においては、スチーム発生部を内蔵したハウジングと、ハウジングの所定の場所に配置されて、スチーム発生部において発生したスチームを吐出する吐出口とが設けられている。
【０００３】
上記吐出口から吐出されたスチームは、例えば使用者の顔面に供給され、顔面の肌に対して水分を供給することにより、使用者の肌ケアを行うようにしている（特許文献１）。
【特許文献１】特公平６−５１１３５号公報
【発明の開示】
【発明が解決しようとする課題】
【０００４】
しかしながら、前記背景技術の特許文献１に記載の美容装置においては、使用者はスチームを吐出する吐出口に対して、肌ケアを行う例えば使用者の顔面の位置を任意で決めるために、吐出口と顔面とが離れているときは、スチームの効果が少なくなってしまうとともに、逆に吐出口と顔面とが近い場合は、使用者がスチームを熱く感じてしまうという問題点があった。
【０００５】
本願発明はこのような上記背景技術の課題を解決するものであり、吐出口とケアを行う使用者の肌との距離を最適に規定することで、スチームによる肌ケアの効果を高めることを目的とする。
【課題を解決するための手段】
【０００６】
上記課題を解決するために、本願発明は、ハウジングと、ハウジングに設けられてハウジング内で発生したスチームを吐出する吐出口と、を有し、吐出口から吐出されたスチームを使用者の肌に当てて肌のケアを行う美容装置において、吐出口とケアを行う肌との距離を規制する規制手段を設けたことを特徴としている。
【０００７】
また、規制手段は、ハウジングに出し入れ自在に設けられた棒状部材でもよく、または、ハウジングに側設または隣接され、使用者の顎部を載置する顎部載置台でもよい。
【０００８】
また、規制手段は、ハウジングに設けられて、吐出口から吐出されるスチームに光を照射する光照射部でもよく、または、同様にハウジングに設けられ、少なくとも赤外線または超音波またはレーザのいずれかをケアを行う肌に照射することにより、吐出口とケアを行う肌との距離を検知する距離検知部であってもよい。
【０００９】
さらに、吐出口とケアを行う肌とが所定の距離になった際に、使用者に報知する報知手段を設けてもよい。
【００１０】
そして、複数の吐出口を設け、吐出口から所定の距離において、各々の吐出口から吐出されるスチームが合流するようにしてもよい。
【発明の効果】
【００１１】
本願発明においては、吐出口とケアを行う肌との距離を規制する規制手段を設けることにより、吐出口とケアを行う使用者の肌との距離を最適に規定することで、スチームによる肌ケアの効果の高い美容装置を提供できる。
【００１２】
また、上記規制手段を、ハウジングに出し入れ自在に設けられた棒状部材や、ハウジングに側設または隣接され、使用者の顎部を載置する顎部載置台とすることで、極めて簡単かつ安価な構成で、吐出口とケアを行う使用者の肌との距離を最適に規定することができる。
【００１３】
また、上記規制手段を、吐出口から吐出されるスチームに光を照射する光照射部とすることで、光が当たったスチームの場所を最適な距離に設定することにより、使用者に対して、吐出口とケアを行う肌との最適な距離を、極めて分かりやすく表示することができる。
【００１４】
また、上記規制手段を、ハウジングに設けられ、少なくとも赤外線または超音波またはレーザのいずれかをケアを行う肌に照射することにより、吐出口とケアを行う肌との距離を検知する距離検知部とすることで、吐出口とケアを行う肌との距離を、正確に検知することができる。
【００１５】
さらに、吐出口とケアを行う肌とが所定の距離になった際に、使用者に報知する報知手段を設けることで、吐出口とケアを行う肌とが最適な距離になったときに、使用者に報知することができる。
【００１６】
そして、複数の吐出口を設け、吐出口とケアを行う肌との最適な距離において、各々の吐出口から吐出されるスチームが合流するようにすることで、使用者が最適な距離を容易に認識できるとともに、複数の吐出口を設けることにより、各々の吐出口から吐出されるスチームの熱量を小さくできることから、万が一使用者の肌が、最適な距離より吐出口に近づいたとしても、使用者がスチームを熱く感じることを防止することができる。
【発明を実施するための最良の形態】
【００１７】
図１、２は、本願発明の第１の実施形態である美容装置を示している。この美容装置は、図１、２に示すように、ハウジング１と、ハウジング１に設けられてハウジング１内で発生したスチーム２を吐出する吐出口３と、を有し、吐出口３から吐出されたスチーム２を使用者の肌に当てて肌のケアを行う美容装置において、吐出口３とケアを行う肌との距離を規制する規制手段としてのハウジング１に出し入れ自在に設けられた棒状部材４を設けている。
【００１８】
以下、この実施形態の美容装置を、より具体的詳細に説明する。図１に示すように、美容装置のハウジング１があり、このハウジング１の上側には、ハウジング１内で発生したスチーム２を吐出する吐出口３が設けられている。ここで、吐出口３の向きは、スチーム２を斜め上方側に吐出するように、傾斜して配置されている。
【００１９】
スチーム２の発生手段は特に限定しないが、例えばボイラーに貯留された水等の液体を、ボイラー内に配置されたヒータ等により加熱することで、スチーム２を発生させることができる。
【００２０】
次に、ハウジング１の上側であって、吐出口３からスチーム２が吐出される側には、孔５が設けられており、この孔５には、吐出口３とケアを行う肌との距離を規制する棒状部材４が出し入れ自在に挿入されている。
【００２１】
上記棒状部材４は、硬質ゴムやＡＢＳ等の合成樹脂等からなり、径が５ｍｍ〜２０ｍｍ程度であることが好ましい。また、棒状部材４は、スチーム２が吐出される方向と同様な向きになるよう、傾斜した状態で孔５に挿入されている。
【００２２】
また、棒状部材４は、美容装置を使用しない場合は、ハウジング１内に先端部を除いて収納された状態とし、美容装置を使用する際に、引き出して使用するようにすることが好ましい。
【００２３】
また、ハウジング１の上側であって、吐出口３をはさんで孔５の反対側には、表示ランプ６が設けられており、美容装置の運転中に点灯することで、使用者に美容装置の運転状態を報知できるようにされている。
【００２４】
以上の構成において、本願発明の第１の実施形態における美容装置の動作を図１、２を用いて説明する。
【００２５】
使用者が、ハウジング１の上部に設けられた孔５に挿入されている棒状部材４を、孔５から所定の長さまで引き出し、運転スイッチ（図示せず）をオンにすると、ハウジング１内で発生したスチーム２が、ハウジング１の上部に設けられた吐出口３より吐出されるとともに、表示ランプ６が点灯し、使用者に対して美容装置が運転中であることを報知する。
【００２６】
次に使用者は、吐出口３よりスチーム２が吐出されていることを確認した上で、孔５より引き出された棒状部材４の先端部に、使用者の顎部が当接するよう、使用者の顔面を設定する。
【００２７】
このとき棒状部材４は、スチーム２が吐出される方向と同様な向きにおいて、孔５から引き出されているため、棒状部材４の先端部に使用者の顎部を当接させることで、吐出されているスチーム２に相対する位置に使用者の顔面を配置することができる。また、棒状部材４を、孔５から所定の長さまで引き出すことで、吐出口３とケアを行う使用者の顔面との距離を最適に設定できるために、例えば、使用者がスチーム２を熱く感じることなく、常時快適に美容装置を使用することができる。
【００２８】
以上のように本願発明の第１の実施形態によれば、吐出口３とケアを行う使用者の顔面との距離を規制する規制手段としての棒状部材４を設けることにより、極めて簡単かつ安価な構成で、吐出口３とケアを行う使用者の顔面との距離を最適に設定することができる。
【００２９】
図３、４は、本願発明の第２の実施形態である美容装置を示している。ここでは、上記第１の実施形態と相違する事項についてのみ説明し、同様の構成や作用効果等を有するものについては、上記第１の実施形態の説明を援用する。
【００３０】
本願発明の第２の実施形態が上記第１の実施形態と異なる部分は、図３、４に示すように、吐出口３とケアを行う肌との距離を規制する規制手段として、孔５と孔５に挿入された棒状部材４の代わりに、ハウジング１の一方の側部に併設されて、使用者の顎部を載置する顎部載置台７が設けられているところである。
【００３１】
上記顎部載置台７は、ハウジング１において、スチーム２が吐出される側の側部に併設されており、立方体形のベース８上に円柱形に形成されていて、その頂部９に顎部を載置するようにしている。
【００３２】
顎部載置台７は、棒状部材４と同様に硬質ゴムやＡＢＳ等の合成樹脂等からなり、径が３０ｍｍから５０ｍｍ程度であることが好ましい。また、頂部９は顎部を載置しやすいように凹形に形成することが好ましい。
【００３３】
また、顎部載置台７は、ベース８に設けられた連設部１０がハウジング１の側部の底面側に接触することで、ハウジング１に併設されるとともに、ハウジング１との距離が規制されるようにしている。ここで、連設部１０は、ハウジング１の側部の底面側に嵌合する形状に形成されている。
【００３４】
上記差異をふまえて、本願発明の第２の実施形態における美容装置の動作について、図３、４を用いて説明する。
【００３５】
使用者が、ハウジング１において、スチーム２が吐出される側の側部に顎部載置台７を併設して、運転スイッチ（図示せず）をオンにすると、ハウジング１内で発生したスチーム２が、ハウジング１の上部に設けられた吐出口３より吐出されるとともに、表示ランプ６が点灯し、使用者に対して美容装置が運転中であることを報知する。
【００３６】
次に使用者は、吐出口３よりスチーム２が吐出されていることを確認した上で、顎部載置台７の頂部９に使用者の顎部を載置する。このとき顎部載置台７は、ベース８に設けられた連設部１０により、ハウジング１に併設されるとともに、ハウジング１との距離が規制されているため、吐出されているスチーム２に相対する位置に使用者の顔面を配置することができる。
【００３７】
また、顎部載置台７をハウジング１に併設することで、吐出口３とケアを行う使用者の顔面との距離を最適に設定できるために、例えば、使用者がスチーム２を熱く感じることなく、常時快適に美容装置を使用することができる。
【００３８】
以上のように本願発明の第２の実施形態によれば、吐出口３とケアを行う使用者の顔面との距離を規制する規制手段としての顎部載置台７を設けることにより、極めて簡単かつ安価な構成で、吐出口３とケアを行う使用者の顔面との距離を最適に設定することができる。
【００３９】
図５、６は、本願発明の第３の実施形態である美容装置を示している。ここでは、上記第１の実施形態と相違する事項についてのみ説明し、同様の構成や作用効果等を有するものについては、上記第１の実施形態の説明を援用する。
【００４０】
本願発明の第３の実施形態が上記第１の実施形態と異なる部分は、図５、６に示すように、吐出口３とケアを行う肌との距離を規制する規制手段として、孔５と孔５に挿入された棒状部材４の代わりに、ハウジング１の上部であって、吐出口３のスチーム２が吐出される側の側方に、ＬＥＤやランプ等からなる一対の光照射部１１が設けられているところと、同じくハウジング１の上部に、光照射部１１を駆動するスイッチ１２が設けられているところである。
【００４１】
ここで、上記光照射部１１は、吐出されるスチーム２に向けて光が照射されるようにするため、吐出口３と同様に斜め上方側に傾斜して配置されており、さらに、吐出口３から所定の距離において、各々の光照射部１１から照射された光が合流して、この合流箇所１３に吐出されたスチーム２を明るく照らすようにしている。
【００４２】
上記差異をふまえて、本願発明の第３の実施形態における美容装置の動作について、図５、６を用いて説明する。
【００４３】
使用者が、運転スイッチ（図示せず）をオンにすると、ハウジング１内で発生したスチーム２が、ハウジング１の上部に設けられた吐出口３より吐出されるとともに、表示ランプ６が点灯し、使用者に対して美容装置が運転中であることを報知する。
【００４４】
次に使用者は、吐出口３よりスチーム２が吐出されていることを確認した上で、ハウジング１の上部に設けられたスイッチ１２をオンにすると、各々の光照射部１１から光が照射され、この照射された光が、吐出口３から所定の距離において合流し、合流箇所１３に吐出されたスチーム２を明るく照らす。使用者は、上記合流箇所１３に顔面を位置することで、吐出口３から所定の距離に顔面を配置することができる。
【００４５】
以上のように本願発明の第３の実施形態によれば、吐出口３とケアを行う使用者の顔面との距離を規制する規制手段としての光照射部１１を設けることにより、使用者に対して顔面の配置位置を確実に表示できるために、吐出口３とケアを行う使用者の顔面との距離を最適に設定することができる。
【００４６】
図７、８は、本願発明の第４の実施形態である美容装置を示している。ここでは、上記第３の実施形態と相違する事項についてのみ説明し、同様の構成や作用効果等を有するものについては、上記第３の実施形態の説明を援用する。
【００４７】
本願発明の第４の実施形態が上記第３の実施形態と異なる部分は、図７、８に示すように、吐出口３とケアを行う肌との距離を規制する規制手段として、光照射部１１の代わりに、吐出口３と使用者の顔面１５との距離を検知するための一対の超音波送受信部１４が設けられているところである。
【００４８】
上記超音波送受信部１４においては、一方の超音波送受信部１４から超音波が送信されるとともに、送信された超音波が使用者の顔面１５で反射されて、他方の超音波送受信部１４において受信される。
【００４９】
上記差異をふまえて、本願発明の第４の実施形態における美容装置の動作について、図７、８を用いて説明する。
【００５０】
使用者が、ハウジング１の上部に設けられたスイッチ１２をオンにすると、一対の超音波送受信部１４のうち、一方の超音波送受信部１４から超音波が送信される。ここで使用者が、超音波送受信部１４の向きと相対する場所に顔面１５を位置すると、送信された超音波が顔面１５で反射されて、他方の超音波送受信部１４において受信され、超音波受信部１４と顔面１５との距離が測定されることで、吐出口３と顔面１５との距離が検知される。
【００５１】
このとき、検知された距離が所定の範囲以外の場合は、表示ランプ６が点滅するとともに、検知された距離が所定の範囲の場合は、表示ランプ６が点灯することで、使用者に対して、吐出口３と顔面１５との距離が適切であるかどうかについて報知している。
【００５２】
次に使用者が、運転スイッチ（図示せず）をオンにすると、ハウジング１内で発生したスチーム２が、ハウジング１の上部に設けられた吐出口３より吐出されるが、このとき、上記検知された距離が所定の範囲以外の場合は、表示ランプ６が点滅するとともに、検知された距離が所定の範囲の場合は、表示ランプ６が点灯を継続することで、使用者に対して、美容装置が運転状態にあるときも、吐出口３と顔面１５との距離が適切であるかどうかについて報知している。
【００５３】
以上のように本願発明の第３の実施形態によれば、吐出口３とケアを行う使用者の顔面１５との距離を規制する規制手段としての超音波送受信部１４を設けることにより、吐出口３と顔面１５との距離を確実に検知するとともに、使用者に対して、前記距離が適切であるかどうかを確実に報知できるために、吐出口３と顔面１５との距離を、常時最適に設定することができる。
【００５４】
図９、１０は、本願発明の第５の実施形態である美容装置を示している。ここでは、上記第１の実施形態と相違する事項についてのみ説明し、同様の構成や作用効果等を有するものについては、上記第１の実施形態の説明を援用する。
【００５５】
本願発明の第５の実施形態が上記第１の実施形態と異なる部分は、図９、１０に示すように、吐出口３とケアを行う肌との距離を規制する規制手段として、孔５と孔５に挿入された棒状部材４の代わりに、複数の吐出口３が設けられているところである。
【００５６】
上記複数の吐出口３は、その向きが斜め上方になるように配置されているが、各々の吐出口３から吐出されたスチーム２は、吐出口３から所定の距離の合流箇所１３において、合流するように設定されている。
【００５７】
上記差異をふまえて、本願発明の第５の実施形態における美容装置の動作について、図９、１０を用いて説明する。
【００５８】
使用者が、運転スイッチ（図示せず）をオンにすると、ハウジング１内で発生したスチーム２が、ハウジング１の上部に設けられた複数の吐出口３より吐出されるとともに、表示ランプ６が点灯し、使用者に対して美容装置が運転中であることを報知する。上記複数の吐出口３より吐出されスチーム２は、吐出口３から所定の距離にある合流箇所１３において合流する。
【００５９】
次に使用者は、吐出口３よりスチーム２が吐出されていることを確認し、前記合流箇所１３に使用者の顔面を位置させて、顔面の肌ケアを行うが、上記合流箇所１３は極めて目視で確認しやすいため、吐出口３と顔面１５との最適な距離を、常時容易に表示することができる。
【００６０】
以上のように本願発明の第５の実施形態によれば、吐出口３とケアを行う使用者の顔面との距離を規制する規制手段としての複数の吐出口３を設けることにより、使用者に対して顔面の適切な配置位置を確実に表示できるために、吐出口３とケアを行う使用者の顔面との最適な距離を、きわめて容易に設定することができる。
【００６１】
なお、上記本願発明の第４の実施形態においては、吐出口３と使用者の顔面１５との距離を検知するために、超音波送受信部１４を用いたが、例えば、レーザや赤外線により距離を検知するようにしてもよい。
【００６２】
また、使用者に対して、吐出口３と顔面１５との距離が適切であるかどうかを報知するために、表示ランプ６を点灯または点滅させているが、例えば、表示ランプの色を変化させるようにしてもよいし、さらにブザー等の音により報知してもよい。
【図面の簡単な説明】
【００６３】
【図１】本願発明の第１の実施形態である美容装置の斜視図。
【図２】同美容装置の使用状況を示す正面図。
【図３】本願発明の第２の実施形態である美容装置の斜視図。
【図４】同美容装置の使用状況を示す正面図。
【図５】本願発明の第３の実施形態である美容装置の斜視図。
【図６】同美容装置の使用状況を示す正面図。
【図７】本願発明の第４の実施形態である美容装置の斜視図。
【図８】同美容装置の使用状況を示す正面図。
【図９】本願発明の第５の実施形態である美容装置の斜視図。
【図１０】同美容装置の使用状況を示す正面図。
【符号の説明】
【００６４】
１  ハウジング
２  スチーム
３  吐出口
４  棒状部材（規制手段）
６  表示ランプ（報知手段）
７  顎部載置台（規制手段）
１１  光照射部（規制手段）
１４  超音波送受信部（規制手段）
【図１】
2008178495.tif 000003
【図２】
2008178495.tif 000004
【図３】
2008178495.tif 000005
【図４】
2008178495.tif 000006
【図５】
2008178495.tif 000007
【図６】
2008178495.tif 000008
【図７】
2008178495.tif 000009
【図８】
2008178495.tif 000010
【図９】
2008178495.tif 000011
【図１０】
2008178495.tif 000012